(57)【要約】      （修正有）【課題】アンテナ性能を良好に維持できる携帯無線装置及びフレキシブルケーブルを提供する。【解決手段】携帯無線装置は、アンテナ１４が接続された第１回路部と、第１回路部にフレキシブルケーブル１３を介して接続された第２回路部と、を備えている。また、フレキシブルケーブル１３には、スリットが形成されている。さらに、スリットは、フレキシブルケーブル１３とアンテナ１４との電気的結合量を変化させるように形成されているのが好ましい。【選択図】図４
2010178167.tif 000002
【特許請求の範囲】
【請求項１】
アンテナが接続された第１回路部と、
前記第１回路部にフレキシブルケーブルを介して接続された第２回路部と、を備える携帯無線装置であって、
前記フレキシブルケーブルには、スリットが形成されている、ことを特徴とする携帯無線装置。
【請求項２】
請求項１記載の携帯無線装置であって、
前記スリットは、前記フレキシブルケーブルと前記アンテナとの電気的結合量を変化させるように形成されている、ことを特徴とする携帯無線装置。
【請求項３】
請求項１又は２記載の携帯無線装置であって、
前記スリットは、前記フレキシブルケーブルの長手方向に沿って略矩形状に形成されている、ことを特徴とする携帯無線装置。
【請求項４】
請求項１乃至３のうちいずれか１項記載の携帯無線装置であって、
前記第１回路部は操作用の第１回路基板を含み、前記第２回路部は画面表示用の第２回路基板を含む、ことを特徴とする携帯無線装置。
【請求項５】
請求項１乃至４のうちいずれか１項記載の携帯無線装置であって、
前記第１回路部を収納する下側筺体部と、
前記第２回路部を収納し、前記下側筺体部に対してスライド可能に取り付けられる上側筺体部と、を更に備える、ことを特徴とする携帯無線装置。
【請求項６】
請求項１乃至５のうちいずれか１項記載の携帯無線装置であって、
前記アンテナは、線状アンテナ、平面状アンテナ、立体状アンテナ、又は、メアンダアンテナ、である、ことを特徴とする携帯無線装置。
【請求項７】
無線装置に内蔵された複数の回路部を相互に接続するフレキシブルケーブルであって、
当該フレキシブルケーブルにスリット形成されている、ことを特徴とするフレキシブルケーブル。
【請求項８】
請求項７記載のフレキシブルケーブルであって、
前記スリットは、当該フレキシブルケーブルと前記回路部に接続されたアンテナとの電気的結合量を変化させるように形成されている、ことを特徴とするフレキシブルケーブル。
【請求項９】
請求項７又は８記載のフレキシブルケーブルであって、
前記スリットは、当該フレキシブルケーブルの長手方向に沿って略矩形状に形成されている、ことを特徴とするフレキシブルケーブル。
【発明の詳細な説明】
【技術分野】
【０００１】
本発明は、例えば、アンテナが接続された第１回路部と、第１回路部にフレキシブルケーブルを介して接続された第２回路部と、を備える携帯無線装置及びフレキシブルケーブルに関するものである。
【背景技術】
【０００２】
近年、携帯電話等の携帯無線装置においては、複数の回路基板が内蔵されており、また開閉構造、スライド構造等により、これら各回路基板の位置は相対的に変化する。このため、各回路基板は、フレキシブルケーブル等により相互に接続されている。例えば、第１及び第２筺体に夫々収納される回路基板を、ヒンジを挿通するフレキシブルケーブルにより電気的に接続する携帯端末が知られている（特許文献１参照）。
【先行技術文献】
【特許文献】
【０００３】
【特許文献１】特開２００５−５７２５９号公報
【発明の概要】
【発明が解決しようとする課題】
【０００４】
上記特許文献１に示す携帯端末において、例えば、２つの回路基板を相互に接続するフレキシブルケーブルと、電波を送受信するアンテナとが電気的に結合して、当該アンテナ性能へ悪影響を及ぼすという問題が生じている。なお、上記携帯端末のフレキシブルケーブルにはスリットが形成されているが、このスリットは、フレキシブルケーブルへの応力集中を回避することを目的としており、上記アンテナ性能の悪影響を回避することを目的としていない。
【０００５】
本発明は、このような問題点を解決するためになされたものであり、アンテナ性能を良好に維持できる携帯無線装置及びフレキシブルケーブルを提供することを主たる目的とする。
【課題を解決するための手段】
【０００６】
上記目的を達成するための本発明の一態様は、アンテナが接続された第１回路部と、前記第１回路部にフレキシブルケーブルを介して接続された第２回路部と、を備える携帯無線装置であって、前記フレキシブルケーブルには、スリットが形成されている、ことを特徴とする携帯無線装置である。
他方、上記目的を達成するための本発明の一態様は、無線装置に内蔵された複数の回路部を相互に接続するフレキシブルケーブルであって、当該フレキシブルケーブルにスリット形成されている、ことを特徴とするフレキシブルケーブルであってもよい。
【発明の効果】
【０００７】
本発明によれば、アンテナ性能を良好に維持できる携帯無線装置及びフレキシブルケーブルを提供することができる。
【図面の簡単な説明】
【０００８】
【図１】本発明の一実施形態に係る携帯無線装置の機能ブロック図である。
【図２】本発明の一実施形態に係る携帯無線装置のアンテナにおけるインピーダンス特性の一例を示す図である。
【図３】本発明の一実施形態に係る携帯無線装置の概略を示す斜視図である。
【図４】本発明の一実施形態に係る携帯無線装置の第１及び第２回路基板とフレキシブルケーブルとの概略的な配置を示す側面図である。
【図５】本発明の一実施形態に係る携帯無線装置のフレキシブルケーブルを概略的に示す上面図である。
【図６】従来に係る携帯無線装置のフレキシブルケーブルを概略的に示す上面図である。
【図７】従来に係る携帯無線装置のアンテナにおけるインピーダンス特性の一例を示す図である。
【発明を実施するための形態】
【０００９】
以下、本発明を実施するための最良の形態について、添付図面を参照しながら一実施形態を挙げて説明する。図１は、本発明の一実施形態に係る携帯無線装置の機能ブロック図である。本実施形態に係る携帯無線装置１０は、アンテナ１４が接続された第１回路部２１と、第１回路部２１にフレキシブルケーブル１３を介して接続された第２回路部２２と、を備えている。また、フレキシブルケーブル１３には、スリット１３ｃが形成されている。
【００１０】
上述のように、フレキシブルケーブル１３にスリット１３ｃを形成することで、第１及び第２回路部２１、２２を相互に接続するフレキシブルケーブル１３と、アンテナ１４との電気的結合量を変化させ、図２に示す如く、不要な共振を所望の帯域外へ移動させることができる。したがって、アンテナ１４のインピーダンス特性を良好に維持することができるため、携帯無線装置１０のアンテナ特性を良好に維持することができる。なお、図２は、本実施形態に係る携帯無線装置のアンテナにおけるインピーダンス特性の一例を示す図である。
【００１１】
図３は、本発明の一実施形態に係る携帯無線装置の概略を示す斜視図である。本実施形態に係る携帯無線装置１０は、例えば、下側筺体部１と、下側筺体部１にスライド可能に連結された上側筺体部２と、を備えた、スライド式の携帯端末である。
【００１２】
また、下側筺体部１には、上側筺体部２がＸ１及びＸ２方向へスライド可能となるように、スライド構造を介して取り付けられている。上側筺体部２には、例えば、液晶ディスプレイ、有機ＥＬディスプレイ等の表示部３、スピーカ４、カメラ５等が設けられている。また、下側筺体部１には、テンキー、決定キー、ファンクションキー等の操作キーを有し、当該携帯無線装置１０を操作するための操作部６、マイク７、電源（バッテリ）等が設けられている。なお、本実施形態に係る携帯無線装置１０は、例えば、一般の携帯電話等の携帯端末が有する周知の機能を併せ持つものであり、したがって、これら機能の詳細な説明は省略する。
【００１３】
また、図４は、本発明の一実施形態に係る携帯無線装置の第１及び第２回路基板とフレキシブルケーブルとの概略的な配置を示す側面図である。下側筺体部１には、操作部６を制御するための第１回路基板１１が収納されており、上側筺体部２には、表示部３を制御するための第２回路基板１２が収納されている。なお、第１及び第２回路基板１１、１２は、例えば、制御処理、演算処理等と行うＣＰＵ（Central Processing Unit）、ＣＰＵによって実行される制御プログラム、演算プログラム等が記憶されたＲＯＭ（Read Only Memory）、処理データ等を一時的に記憶するＲＡＭ等からなるマイクロコンピュータを中心に構成されている。
【００１４】
また、第１回路基板１１と第２回路基板１２とは、フレキシブルケーブル１３を介して、相互に電気的に接続されている。フレキシブルケーブル１３の両端には、夫々、コネクタ部１３ａが設けられている（図５）。フレキシブルケーブル１３は、コネクタ部１３ａを介して、第１及び第２回路基板１１、１２に夫々接続されている。
【００１５】
第１回路基板１１には、通信ネットワーク網等を介して、他の通信装置との間で電波の送受信を行うためのアンテナ１４が接続されている。アンテナ１４は、例えば、下側筺体部１に内蔵されているが、これに限らず、例えば、下側筺体部１の上面等に取り付けられていてもよく、任意の構成が適用可能である。また、アンテナ１４として、例えば、ダイポールアンテナ等の線状アンテナが用いられている。
【００１６】
フレキシブルケーブル１３は、可撓性のフィルム部材１３ｂと、フィルム部材１３ｂの長手方向に沿って埋設された複数の線状の配線導体（銅箔等）と、を有している。なお、フィルム部１３ｂは、例えば、ポリイミドなどの絶縁性の合成樹脂により形成されている。また、この複数の配線導体は、電源ラインや信号ライン等により構成されている。第１及び第２回路基板１１、１２は、例えば、フレキシブルケーブル１３の配線導体の信号ラインを介して、双方向の電気信号の送受信を行うことができる。また、下側筺体部１の電源は、例えば、フレキシブルケーブル１３の配線導体の電源ラインを介して、上側筺体部２の第２回路基板１２に対して、電力を供給することができる。
【００１７】
また、上側筺体部２が下側筺体部１に対してＸ１方向へスライドすると共に、第２回路基板１２も第１回路基板１１に対してＸ１方向へスライドする（図３）。このスライドに応じて、フレキシブルケーブル１３は、例えば折畳まれた状態となる（図４）。同様に、上側筺体部２が下側筺体部１に対してＸ２方向へスライドすると共に、第２回路基板１２も第１回路基板１１に対してＸ２方向へスライドする（収納状態）。このスライドに応じて、フレキシブルケーブル１３は、例えば上記折畳み状態から展開した状態となる。
【００１８】
ところで、従来の携帯無線装置において、例えば、２つの回路基板を相互に接続するフレキシブルケーブル（図６）と、アンテナとが電気的に結合することで、図７に示す如く、所望の帯域内に不要な共振が発生することがある。これにより、アンテナのインピーダンス特性が劣化し、アンテナの放射効率が劣化することで、アンテナ性能が低下するという問題が生じている。なお、図７は、従来の携帯無線装置のアンテナにおけるインピーダンス特性の一例を示す図である。
【００１９】
そこで、本実施形態に係る携帯無線装置１０のフレキシブルケーブル１３には、その長手方向に沿って、略全長に亘って略中央部に略矩形状のスリット１３ｃが形成されている（図５）。これにより、第１及び第２回路基板１１、１２を相互に接続するフレキシブルケーブル１３と、アンテナ１４との電気的結合量を変化させ、図２に示す如く、不要な共振を所望の帯域外へ移動させることができる。したがって、アンテナ１４のインピーダンス特性を良好に維持することができるため、携帯無線装置１０のアンテナ特性を良好に維持することができる。
【００２０】
さらに、図４に示すに如く、上側筺体部２が下側筺体部１に対してＸ１方向へスライドし、折畳み状態のフレキシブルケーブル１３とアンテナ１４とがより接近する構成の場合において、フレキシブルケーブル１３とアンテナ１４との電気的結合量がより大きくなる。したがって、本実施形態のように、フレキシブルケーブル１３にスリット１３ｃを形成し、不要な共振を所望の帯域外へ移動させるように、フレキシブルケーブル１３とアンテナ１４との電気的結合量を変化させることによる、アンテナ性能の改善効果は、より大きくなる。
【００２１】
なお、フレキシブルケーブル１３には、一例として、その長手方向に沿って、略中央部に略矩形状のスリット１３ｃが形成されているが、これに限らず、形成されるスリット１３ｃの形状、数、および位置は任意でよい。すなわち、フレキシブルケーブル１３と、アンテナ１４との電気的結合量を変化させ、不要な共振を所望の帯域外へ移動させるように、フレキシブルケーブル１３のスリット１３ｃの数、形状、及び／又は位置を変更する。
【００２２】
より具体的には、フレキシブルケーブル１３に１つのスリット１３ｃが形成されているが、これに限らず、例えば、長手方向に平行に２つ又は３つのスリットを形成してもよい。また、スリット１３ｃの縦方向（長手方向）の長さ、及び／又は横方向（幅方向）の長さを任意に変更してもよい。さらに、略矩形状のスリット１３ｃが形成されているが、これに限らず、例えば、台形状、楕円形状等のスリットを形成してもよい。またさらに、フレキシブルケーブル１３の略中央部にスリット１３ｃが形成されているが、これに限らず、例えば、端辺よりにスリットが形成されていてもよい。
【００２３】
以上、本実施形態に係る携帯無線装置１０のフレキシブルケーブル１３には、不要な共振を所望の帯域外へ移動させるように、スリット１３ｃが形成されている。これにより、第１及び第２回路基板１１、１２を相互に接続するフレキシブルケーブル１３と、アンテナ１４との電気的結合量を変化させ、不要な共振を所望の帯域外へ移動させることができる。したがって、アンテナ１４のインピーダンス特性を良好に維持できるため、携帯無線装置１０のアンテナ特性を良好に維持することができる。
【００２４】
なお、本発明を実施するための最良の形態について上記一実施形態を用いて説明したが、本発明はこうした一実施形態に何等限定されるものではなく、本発明の要旨を逸脱しない範囲内において、上述した一実施形態に種々の変形及び置換を加えることができる。
【００２５】
例えば、上記一実施形態において、アンテナ１４には、線状アンテナが適用されているが、これに限らず、例えば、平面状（板状）アンテナ、立体状アンテナ、メアンダアンテナ等が適用されてもよい。
【００２６】
また、上記一実施形態において、上側筺体部２が下側筺体部１に対してスライドするスライド式の携帯無線装置１０に適用されているが、これに限らず、例えば、上側筺体部が下側筺体部に対してヒンジを介して折畳まれる折畳み式の携帯無線装置にも適用可能である。
【００２７】
さらに、上記一実施形態において、携帯電話に適用されているが、これに限らず、例えば、無線機能を有するＰＤＡ、パーソナルコンピュータ等の任意の携帯無線装置に適用可能である。
【００２８】
またさらに、上記一実施形態において、操作部６の第１回路基板１１と、表示部３の第２回路基板１２とを電気的に接続するフレキシブルケーブル１３にスリット１３ｃを形成しているが、これに限らず、任意の２つの回路基板を相互に接続するフレキシブルケーブルにスリットを形成してもよい。
【００２９】
またさらに、上記一実施形態において、一つのフレキシブルケーブル１３にスリット１３ｃが形成される構成であるが、これに限らず、例えば、複数のフレキシブルケーブルにスリットが夫々形成される構成であってもよい。
【００３０】
またさらに、上記一実施形態において、第１回路基板１１にアンテナ１４が接続されているが、これに限らず、例えば、第２回路基板１２に接続されていてもよい。
【符号の説明】
【００３１】
１    下側筐体部
２    上側筐体部
３    表示部
４    スピーカ
５    カメラ
６    操作部
７    マイク
１０    携帯無線装置
１１    第１回路基板
１２    第２回路基板
１３    フレキシブルケーブル
１３ａ  コネクタ部
１３ｂ  フィルム部材
１３ｃ  スリット
１４    アンテナ
【図１】
2010178167.tif 000003
【図２】
2010178167.tif 000004
【図３】
2010178167.tif 000005
【図４】
2010178167.tif 000006
【図５】
2010178167.tif 000007
【図６】
2010178167.tif 000008
【図７】
2010178167.tif 000009